(57)【特許請求の範囲】
【請求項１】
発光部と、
前記発光部が発した光を透過させる第一光学素子と、
前記第一光学素子を透過した光の配光を調整する第二光学素子と、
を備え、
前記第一光学素子及び前記第二光学素子は、それぞれ、Ａ方向に沿う断面における断面形状が、前記Ａ方向に対して直交するＢ方向に沿って一定であり、
前記第一光学素子は、前記Ｂ方向に沿って延びる複数のプリズム部を有し、
前記第二光学素子は、前記Ａ方向に沿う断面において中央に位置する中央領域と、前記中央領域の両側にある外側領域とを有し、
前記第二光学素子の前記中央領域は、前記Ａ方向に沿う断面において光束を発散させ、
前記第二光学素子の前記外側領域は、前記Ａ方向に沿う断面において光束を集束させる光源ユニットであって、
前記Ａ方向に沿う断面において、前記中央領域の内面に入射する第一光線と前記光源ユニットの光軸との間の角度よりも、前記第一光線が前記中央領域を透過して前記第二光学素子の外面から出射した第二光線と前記光軸との間の角度が大きくなるように、前記中央領域が光を屈折させる光源ユニット。
【請求項２】
前記第一光学素子は、前記複数のプリズム部による凹凸を有する凹凸面と、前記凹凸面の反対側の平滑面とを備え、
前記発光部が発した光が前記第一光学素子の前記凹凸面に入射する請求項１に記載の光源ユニット。
【請求項３】
前記第一光学素子は、前記複数のプリズム部による凹凸を有する凹凸面と、前記凹凸面の反対側の平滑面とを備え、
前記発光部が発した光が前記第一光学素子の前記平滑面に入射する請求項１に記載の光源ユニット。
【請求項４】
前記第二光学素子の前記中央領域及び前記外側領域の少なくとも一方は、フレネルレンズを有し、
前記第二光学素子は、前記フレネルレンズによる凹凸を有する凹凸面と、前記凹凸面の反対側の平滑面とを備え、
前記第一光学素子からの光が前記第二光学素子の前記凹凸面に入射する請求項１から請求項３のいずれか一項に記載の光源ユニット。
【請求項５】
前記第二光学素子の前記中央領域及び前記外側領域の少なくとも一方は、フレネルレンズを有し、
前記第二光学素子は、前記フレネルレンズによる凹凸を有する凹凸面と、前記凹凸面の反対側の平滑面とを備え、
前記第一光学素子からの光が前記第二光学素子の前記平滑面に入射する請求項１から請求項３のいずれか一項に記載の光源ユニット。
【請求項６】
前記Ｂ方向を長手方向とする形状を有する請求項１から請求項５のいずれか一項に記載の光源ユニット。
【請求項７】
前記発光部は、前記Ｂ方向を長手方向とする形状を有する基板と、前記基板に設置された複数の発光素子とを備える請求項１から請求項６のいずれか一項に記載の光源ユニット。
【請求項８】
前記発光部と前記第一光学素子との間に設置され、光を拡散透過させる光拡散部材を備える請求項１から請求項７のいずれか一項に記載の光源ユニット。
【請求項９】
請求項１から請求項８のいずれか一項に記載の光源ユニットと、
前記光源ユニットを取り付け可能な器具本体と、
を備える照明器具。
【発明の詳細な説明】
【技術分野】
【０００１】
本発明は、光源ユニット及び照明器具に関する。
【背景技術】
【０００２】
人の視線を中心として上下３０°の範囲はグレアゾーンとされ、この範囲内に輝度の高い光源があると、人はまぶしさを感じるとされている。このような不快なまぶしさを防止するために、例えば配光角が６０°〜９０°の範囲（視線の上３０°の範囲）の光を抑制した照明が、特にオフィスなどの広い空間では求められる。特許文献１には、そのような配光角を制御できる照明器具が開示されている。
【先行技術文献】
【特許文献】
【０００３】
【特許文献１】特開２０１５−１６２４４５号公報
【発明の概要】
【発明が解決しようとする課題】
【０００４】
特許文献１の照明器具では、照明器具の短手方向のグレア制御しかできない。また、照明器具において、ルーバーを用いて配光を制御することが考えられる。この場合、器具のサイズが大きくなる可能性がある。
【０００５】
本発明は、上述のような課題を解決するためになされたもので、互いに直交するＡ方向及びＢ方向のグレアを、簡単な構成で抑制できる光源ユニット及び照明器具を提供することを目的とする。
【課題を解決するための手段】
【０００６】
本発明に係る光源ユニットは、発光部と、発光部が発した光を透過させる第一光学素子と、第一光学素子を透過した光の配光を調整する第二光学素子と、を備え、第一光学素子及び第二光学素子は、それぞれ、Ａ方向に沿う断面における断面形状が、Ａ方向に対して直交するＢ方向に沿って一定であり、第一光学素子は、Ｂ方向に沿って延びる複数のプリズム部を有し、第二光学素子は、Ａ方向に沿う断面において中央に位置する中央領域と、中央領域の両側にある外側領域とを有し、第二光学素子の中央領域は、Ａ方向に沿う断面において光束を発散させ、第二光学素子の外側領域は、Ａ方向に沿う断面において光束を集束させる光源ユニットであって、Ａ方向に沿う断面において、中央領域の内面に入射する第一光線と光源ユニットの光軸との間の角度よりも、第一光線が中央領域を透過して第二光学素子の外面から出射した第二光線と光軸との間の角度が大きくなるように、中央領域が光を屈折させるものである。
本発明に係る照明器具は、上記光源ユニットと、上記光源ユニットを取り付け可能な器具本体と、を備えるものである。
【発明の効果】
【０００７】
本発明によれば、互いに直交するＡ方向及びＢ方向のグレアを、簡単な構成で抑制することが可能となる。
【図面の簡単な説明】
【０００８】
【図１】実施の形態１による照明器具の斜視図である。
【図２】実施の形態１による照明器具の分解斜視図である。
【図３】実施の形態１による光源ユニットの横断面図である。
【図４】実施の形態１における配光分布図である。
【図５】実施の形態２による光源ユニットの横断面図である。
【図６】実施の形態２における配光分布図である。
【図７】実施の形態３による光源ユニットの横断面図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による照明器具１の斜視図である。図２は、実施の形態１による照明器具１の分解斜視図である。これらの図に示す照明器具１は、器具本体１０１と、器具本体１０１に取り付けられた光源ユニット２とを備える。器具本体１０１は、例えば天井などに取り付けられる。器具本体１０１は、点灯装置を備える。また、光源ユニット２が点灯装置を備えても良い。点灯装置は、光源ユニット２が備える光源に電力を供給することで光源を点灯させる。図２に示すように、光源ユニット２は、器具本体１０１に対して着脱可能である。図示の例では、器具本体１０１に設けられたバネ９１を、光源ユニット２に設けられた引っかけ部９２に引っかけることで、光源ユニット２が器具本体１０１に取り付けられる。
【００１１】
光源ユニット２は、細長い形状を有する。「Ｂ方向」は、光源ユニット２の長手方向に相当する。「Ａ方向」は、光源ユニット２の短手方向に相当する。Ａ方向は、Ｂ方向に対し垂直な方向である。
【００１２】
図３は、実施の形態１による光源ユニット２の横断面図である。図３は、Ａ方向に沿う断面図である。すなわち、図３は、Ｂ方向に垂直な平面で切断した断面図である。光源ユニット２は、ベース１０を備える。ベース１０は、Ｂ方向を長手方向とする細長い形状を有する。ベース１０は、ＬＥＤモジュール２０を支持する。ベース１０の下面にＬＥＤモジュール２０が取り付けられている。ＬＥＤモジュール２０は、「発光部」に相当する。
【００１３】
ＬＥＤモジュール２０は、光源としての発光素子２１と、基板２２とを備える。基板２２の下面に発光素子２１が設置されている。ＬＥＤモジュール２０が備える発光素子２１の数は１つ以上であればよい。基板２２は、Ｂ方向を長手方向とする形状を有する。Ｂ方向に沿って並ぶ複数の発光素子２１を基板２２に設置することで、光源ユニット２の光束を大きくできる。本実施の形態における発光素子２１はＬＥＤ（Ｌｉｇｈｔ  Ｅｍｉｔｔｉｎｇ  Ｄｉｏｄｅ）であるが、本発明における発光素子はＬＥＤに限定されるものではなく、例えば有機ＥＬ（Ｅｌｅｃｔｒｏ−Ｌｕｍｉｎｅｓｃｅｎｃｅ）を発光素子として用いることもできる。
【００１４】
光源ユニット２の光軸ＡＸは、光源ユニット２が発する光の中心軸に相当する。光源ユニット２が器具本体１０１に取り付けられたとき、光軸ＡＸは、鉛直線に平行となってもよい。Ａ方向及びＢ方向は、それぞれ、光源ユニット２の光軸ＡＸに対して垂直である。
【００１５】
光源ユニット２は、拡散板３、第一光学素子４、及び第二光学素子５を備える。第一光学素子４は、ＬＥＤモジュール２０が発した光を、Ｂ方向グレアを抑制して透過させる。第二光学素子５は、第一光学素子４を透過した光のＡ方向配光を制御する。拡散板３は、ＬＥＤモジュール２０と第一光学素子４との間に設置されている。拡散板３は、光を拡散透過させる光拡散部材に相当する。拡散板３は、板状の形状を有する。ＬＥＤモジュール２０から発せられた光は、拡散板３により拡散された後、第一光学素子４に入射する。拡散板３の上面は、ＬＥＤモジュール２０に対向する。拡散板３は、例えば、乳白色の樹脂材料で作られている。
【００１６】
光源ユニット２は、支持部材６を備える。支持部材６は、拡散板３、第一光学素子４、及び第二光学素子５を支持する。本実施の形態において、拡散板３、第一光学素子４、第二光学素子５、及び支持部材６のそれぞれは、Ａ方向に沿う断面において、光軸ＡＸを介して対称な断面形状を有する。
【００１７】
支持部材６は、係合部６ａ、保持部６ｂ、第一反射面６ｃ、第二反射面６ｄを有する。係合部６ａがベース１０に係合することで支持部材６がベース１０に対して固定される。保持部６ｂは、拡散板３及び第一光学素子４のエッジ部分を保持する。ＬＥＤモジュール２０から発せられた光の一部は、第一反射面６ｃで反射した後に拡散板３に入射する。第一反射面６ｃを設けたことで、ＬＥＤモジュール２０から発せられた光をより多く拡散板３に入射させることができる。
【００１８】
拡散板３及び第一光学素子４を透過した光は、第二光学素子５の内面に入射する。第二光学素子５の内面に入射した光の一部は、第二光学素子５の内面または外面で反射する。第二反射面６ｄは、第二光学素子５で反射した光を反射させることで、その光を再び第二光学素子５の内面に入射させる。第二反射面６ｄを設けたことで、光源ユニット２から外部へ放射される光量をより多くできる。
【００１９】
第一光学素子４及び第二光学素子５は、それぞれ、Ａ方向に沿う断面における断面形状が、Ａ方向に対して直交するＢ方向に沿って一定である。このような形状の第一光学素子４及び第二光学素子５は、Ｂ方向を押出方向とする押出成形により製造されたものでもよい。押出成形によれば、第一光学素子４及び第二光学素子５を低コストで製造可能である。
【００２０】
第一光学素子４及び第二光学素子５は、それぞれ、透明な樹脂材料、または薄い乳白色の樹脂材料で作られている。第一光学素子４及び第二光学素子５は、例えば、ポリカーボネートで作られていてもよい。
【００２１】
第一光学素子４は、Ｂ方向に沿って延びる複数のプリズム部４ａを有する。複数のプリズム部４ａは、Ａ方向に沿って互いに隣り合うように並ぶ。前述したように、第一光学素子４は、Ａ方向に沿う断面における断面形状がＢ方向に沿って一定である。このため、第一光学素子４の一面に、複数のプリズム部４ａが並ぶことで、Ｂ方向に沿って延びる凸条及び溝が形成される。本実施の形態において各々のプリズム部４ａは、Ａ方向に沿う断面において、三角形、特に二等辺三角形の形状を有する。図示の例では、各々のプリズム部４ａは、頂点が角を形成しているが、これに代えて、頂点が丸みを帯びた形状でもよい。
【００２２】
第一光学素子４は、凹凸面４ｂ及び平滑面４ｃを有する。凹凸面４ｂは、複数のプリズム部４ａによる凹凸が形成された面である。平滑面４ｃは、凹凸面４ｂの反対側の面である。平滑面４ｃは、凹凸の無い平坦な面である。第一光学素子４の凹凸面４ｂは、拡散板３の下面に対向する。ＬＥＤモジュール２０から発せられた光は、拡散板３を通過した後、第一光学素子４の凹凸面４ｂに入射する。第一光学素子４を透過した光は、平滑面４ｃから出射する。平滑面４ｃから出射した光は、第二光学素子５の内面に入射する。
【００２３】
第二光学素子５は、中央領域５ａ及び外側領域５ｂを有する。中央領域５ａは、Ａ方向に沿う断面において中央に位置する。外側領域５ｂは、Ａ方向に沿う断面において中央領域５ａよりも外側に位置する。外側領域５ｂは、Ａ方向に沿う断面において中央領域５ａの両側にそれぞれ設けられている。中央領域５ａは、Ａ方向に沿う断面において、光束を発散させる。図３中の光線Ｒ１は、中央領域５ａに入射する光線の例である。光線Ｒ２は、光線Ｒ１が中央領域５ａを通過して第二光学素子５の外面から出射する光線に相当する。光線Ｒ２と光軸ＡＸとの間の角度は、光線Ｒ１と光軸ＡＸとの間の角度よりも大きい。
【００２４】
第二光学素子５の外側領域５ｂは、Ａ方向に沿う断面において、光束を集束させる。図３中の光線Ｒ３は、外側領域５ｂに入射する光線の例である。光線Ｒ４は、光線Ｒ３が外側領域５ｂを通過して第二光学素子５の外面から出射する光線に相当する。光線Ｒ４と光軸ＡＸとの間の角度は、光線Ｒ３と光軸ＡＸとの間の角度よりも小さい。
【００２５】
第二光学素子５は、固定部５ｃを有する。固定部５ｃが支持部材６の側面に固定されることで、第二光学素子５が支持部材６に対して固定されている。
【００２６】
支持部材６の構造は、図３に示されるものに限らず、拡散板３、第一光学素子４、及び第二光学素子５を支持しうる構造であれば、いかなる構造でもよい。また、拡散板３、第一光学素子４、及び第二光学素子５の各々と、支持部材６との間の固定方法は、例えば、接着剤による接着、ネジ止め、スナップフィット、圧入のうちの少なくとも一つを用いた方法でもよい。また、拡散板３、第一光学素子４、及び第二光学素子５のうちの少なくとも一つと、支持部材６とを二色成形により一体的に形成してもよい。
【００２７】
本実施の形態では、拡散板３を設けたことで、以下の効果が得られる。照射面の照度ムラを抑制できる。個々の発光素子２１の粒による輝度ムラが発光面に生じることを防止できる。後述する第一光学素子４及び第二光学素子５での照射面の色ムラを軽減させることが可能となる。
【００２８】
次に、本明細書における「配光角」について説明する。まず、Ａ方向に沿う断面における配光角について説明する。図３に示すように、Ａ方向に沿う断面における配光角は、光軸ＡＸとの間の角度に相当する。図３中では、便宜上、光軸ＡＸよりも右側の範囲の配光角を「＋」、光軸ＡＸよりも左側の範囲の配光角を「−」としている。グレアゾーンＧは、人がまぶしさを感じ易い配光角の範囲である。グレアゾーンＧは、例えば、配光角が６０°〜９０°の範囲である。配光角が−６０°〜−９０°の範囲も同様にグレアゾーンＧとなる。
【００２９】
図示を省略するが、Ｂ方向に沿う断面、すなわちＡ方向に対して垂直な平面で切断した断面においても、同様にして配光角及びグレアゾーンＧが定義される。光源ユニット２によるグレアを防止するためには、Ａ方向及びＢ方向の両方において、光源ユニット２からグレアゾーンＧへ放射される光の光度を低くすることが重要となる。
【００３０】
図４は、実施の形態１における配光分布図である。図４において、横軸は配光角を示し、縦軸は光度を示す。以下の説明では、Ａ方向に沿う断面における配光を「Ａ方向配光」と称し、Ｂ方向に沿う断面における配光を「Ｂ方向配光」と称する場合がある。図４中、実線のグラフは、第二光学素子５がない場合のＡ方向配光、すなわち第一光学素子４から出射する光のＡ方向配光を示す。一点鎖線のグラフは、第一光学素子４から出射する光のＢ方向配光を示す。破線のグラフは、第二光学素子５から出射する光のＡ方向配光（以下、「最終配光」と称する）を示す。
【００３１】
第一光学素子４の役割は、Ｂ方向に沿って延びるプリズム部４ａにより、Ｂ方向配光についてグレアゾーンＧの光を抑制することにある。本実施の形態のように、第一光学素子４の凹凸面４ｂが入射面となる場合には、図４に示すような配光特性が得られる。第一光学素子４によれば、図４の一点鎖線のグラフが示すように、Ｂ方向配光についてグレアゾーンＧへ放射される光の光度を十分に低くすることができる。このため、Ｂ方向配光についてのグレアを確実に防止または軽減できる。
【００３２】
図４中の破線枠２００で示すように、本実施の形態では、Ａ方向配光については、第一光学素子４はグレアゾーンＧの光を抑制することができない。このように、第一光学素子４の平滑面４ｃが出射面となる場合には、第一光学素子４はグレアゾーンＧの光を抑制することができない。また、第一光学素子４によるＡ方向配光については、図４中の破線枠３００で示すように、中心方向への光が必要以上に多くなってしまう。
【００３３】
第二光学素子５の役割は、Ａ方向配光についてグレアゾーンＧの光を抑制し、かつ、第一光学素子４によって形が崩れたＡ方向配光を、Ｂ方向配光と同程度の配光となるように調整することにある。第二光学素子５によれば、図４中の実線で示されるＡ方向配光を、破線で示す最終配光となるように修整できる。
【００３４】
第二光学素子５の外側領域５ｂにより、Ａ方向配光についてグレアゾーンＧの光を抑制できる。図３に示すように、外側領域５ｂは、第一光学素子４からグレアゾーンＧへ放射される光を受けるような位置に配置されている。前述したように、第一光学素子４からグレアゾーンＧへ放射された光線Ｒ３は、第二光学素子５の外側領域５ｂによって光線Ｒ４に変換され、光軸ＡＸとの間の角度が小さくなる。このようにして、第一光学素子４からグレアゾーンＧへ放射された光は、配光角がグレアゾーンＧよりも小さい光になるように調整される。このような作用は、図４中の破線枠２００から伸びる矢印αによって表されている。第二光学素子５の外側領域５ｂは、図４中の破線枠２００で囲まれる部分の光を、グレアゾーンＧよりも配光角が小さい領域へ移す作用を有する。これにより、Ａ方向配光についてグレアゾーンＧの光を抑制するとともに、Ａ方向配光の形状を修整することができる。
【００３５】
第二光学素子５の中央領域５ａは、図４中の破線枠３００で囲まれる、中心方向への光を、配光角が大きくなるように調整することで、Ａ方向配光の形状をさらに修整する作用を有する。すなわち、第二光学素子５の中央領域５ａは、中心光度の上がりすぎた配光を整える作用を有する。このような作用は、図４中の破線枠３００から伸びる矢印βによって表されている。前述したように、第一光学素子４から第二光学素子５の中央領域５ａへ放射された光線Ｒ１は、配光角がより大きい光線Ｒ２となるように調整される。これにより、図４中の破線枠３００で囲まれる、必要以上に高い中心方向への光度を低減するとともに、Ａ方向配光の形状が、破線で示す最終配光のような滑らかな形状となるように修整することができる。第二光学素子５の中央領域５ａは、光線の配光角を大きくする作用を有するが、光線の配光角をグレアゾーンＧまで大きくすることはない。
【００３６】
本実施の形態において、第二光学素子５の中央領域５ａは、屈折型のフレネルレンズとして形成されている。第二光学素子５は、リニアなフレネルレンズにしてもよい。
【００３７】
第二光学素子５の外側領域５ｂは、屈折型のフレネルレンズとして形成されている。第二光学素子５の外側領域５ｂは、凸レンズのフレネルレンズに相当する。
【００３８】
第二光学素子５は、凹凸面５ｄ及び平滑面５ｅを有する。凹凸面５ｄは、中央領域５ａ及び外側領域５ｂのフレネルレンズによる凹凸が形成された面である。平滑面５ｅは、凹凸面５ｄの反対側の面である。平滑面５ｅは、凹凸の無い平坦な面である。本実施の形態では、第一光学素子４からの光が第二光学素子５の凹凸面５ｄに入射する。本実施の形態であれば、第二光学素子５の外面が平滑面５ｅとなることで、第二光学素子５の外面に対する清掃を容易に行うことができる。
【００３９】
本実施の形態によれば、以下の効果が得られる。押出成形により容易に製造可能な形状を有する第一光学素子４及び第二光学素子５を用いて、Ａ方向及びＢ方向の両方のグレアを、確実に防止または軽減することが可能となる。また、ルーバーを用いた構成に比べて、小型化が可能となる。
【００４０】
実施の形態２．
次に、図５及び図６を参照して、実施の形態２について説明するが、前述した実施の形態１との相違点を中心に説明し、同一部分または相当部分については説明を簡略化または省略する。
【００４１】
図５は、実施の形態２による光源ユニット７の横断面図である。図５に示すように、本実施の形態の光源ユニット７が備える第一光学素子４は、実施の形態１の光源ユニット２とは反対向きに配置されている。すなわち、本実施の形態における第一光学素子４は、凹凸面４ｂが出射面となり、平滑面４ｃが入射面となる。
【００４２】
本実施の形態の光源ユニット７は、実施の形態１における第二光学素子５に代えて、第二光学素子８を備える。第二光学素子８の役割は、実施の形態１における第二光学素子５と同様である。第二光学素子８は、中央領域８ａ及び外側領域８ｂを有する。中央領域８ａ及び外側領域８ｂは、それぞれ、屈折型のフレネルレンズとして形成されている。中央領域８ａは、凹レンズのフレネルレンズに相当する。外側領域８ｂは、凸レンズのフレネルレンズに相当する。
【００４３】
第二光学素子８は、凹凸面８ｄ及び平滑面８ｅを有する。凹凸面８ｄは、中央領域８ａ及び外側領域８ｂのフレネルレンズによる凹凸が形成された面である。平滑面８ｅは、凹凸面８ｄの反対側の面である。平滑面８ｅは、凹凸の無い平坦な面である。本実施の形態では、第一光学素子４からの光が第二光学素子８の平滑面８ｅに入射する。
【００４４】
図６は、実施の形態２における配光分布図である。図６中、実線のグラフは、第二光学素子８がない場合のＡ方向配光、すなわち第一光学素子４から出射する光のＡ方向配光を示す。一点鎖線のグラフは、第一光学素子４から出射する光のＢ方向配光を示す。破線のグラフは、第二光学素子８から出射する光のＡ方向配光である最終配光を示す。
【００４５】
本実施の形態のように、第一光学素子４の凹凸面４ｂが出射面となる場合には、図６に示すような配光特性が得られる。実施の形態１と同様に、第一光学素子４によれば、Ｂ方向配光についてグレアゾーンＧへ放射される光の光度を十分に低くすることができ、Ｂ方向配光についてのグレアを確実に防止または軽減できる。
【００４６】
第一光学素子４の凹凸面４ｂが出射面となる場合のＡ方向配光は、以下のようになる。Ａ方向配光についても、グレアゾーンＧの光が抑制される。しかしながら、グレアゾーンＧを超えて、より配光角が小さい領域まで光が抑制されてしまい、中心光度が高めで、集光気味な配光となってしまう。また、Ａ方向配光におけるグレアゾーンＧの光度は、Ｂ方向配光におけるグレアゾーンＧの光度より高い。すなわち、Ａ方向配光におけるグレアの抑制レベルは、Ｂ方向配光におけるグレアの抑制レベルには劣る。
【００４７】
図６中の破線枠２００から伸びる矢印αが示すように、第二光学素子８の外側領域８ｂは、Ａ方向配光についてグレアゾーンＧの光を、配光角が小さくなるように修整する。これにより、Ａ方向配光におけるグレアの抑制レベルを向上することができ、Ａ方向配光についてグレアゾーンＧの光を確実に抑制できる。また、図６中の破線枠２００で囲まれる部分の光を、グレアゾーンＧよりも配光角が小さい領域へ移すことにより、Ａ方向配光が良好な形状となるように修整することができる。
【００４８】
第二光学素子８の中央領域８ａは、図６中の破線枠３００で囲まれる、中心方向への光を、配光角が大きくなるように調整することで、Ａ方向配光の形状をさらに修整する作用を有する。すなわち、第二光学素子８の中央領域８ａは、中心光度の上がりすぎた配光を整える作用を有する。このような作用は、図６中の破線枠３００から伸びる矢印βによって表されている。これにより、図６中の破線枠３００で囲まれる、必要以上に高い中心方向への光度を低減するとともに、Ａ方向配光の形状が、破線で示す最終配光のような滑らかな形状となるように修整することができる。以上説明したように、実施の形態２によれば、実施の形態１と類似の効果が得られる。第二光学素子８は、第二光学素子５に比べ清掃面で不利だが、効率面では有利であるとともに、設計しやすいという利点がある。
【００４９】
実施の形態３．
次に、図７を参照して、実施の形態３について説明するが、前述した実施の形態１との相違点を中心に説明し、同一部分または相当部分については説明を簡略化または省略する。
【００５０】
図７は、実施の形態３による光源ユニット９の横断面図である。図７に示す本実施の形態の光源ユニット９は、実施の形態１の光源ユニット２と比べ、第二光学素子５に代えて第二光学素子１１を備えること以外は同じである。第二光学素子１１の役割は、実施の形態１における第二光学素子５と同様である。第二光学素子１１は、中央領域１１ａ及び外側領域１１ｂを有する。中央領域１１ａは、屈折型のフレネルレンズとして形成されている。中央領域１１ａは、凹レンズのフレネルレンズに相当し、中央領域５ａと同様である。第二光学素子１１の外側領域１１ｂは、光を全反射させる反射面を有する反射型のフレネルレンズとして形成されている。本実施の形態３によれば、実施の形態１と類似の効果が得られる。
【００５１】
以上、実施の形態１から３について説明したが、本発明では、さらに、以下のような組み合わせで構成することも可能である。
（１）第一光学素子４の配置に関しては、実施の形態１または３のように第一光学素子４の凹凸面４ｂを入射面とする場合と、実施の形態２のように第一光学素子４の凹凸面４ｂを出射面とする場合との２種類がある。
（２）第二光学素子の中央領域のフレネルレンズは、実施の形態１または３のように凹凸面を入射面とした屈折型フレネルレンズとする場合と、実施の形態２のように凹凸面を出射面とした屈折型フレネルレンズとする場合との２種類がある。
（３）第二光学素子の外側領域のフレネルレンズは、実施の形態１のように凹凸面を入射面とした屈折型フレネルレンズとする場合と、実施の形態２のように凹凸面を出射面とした屈折型フレネルレンズとする場合と、実施の形態３のように反射型フレネルレンズとする場合との３種類がある。
【００５２】
上述した（１）の２種類と、（２）の２種類と、（３）の３種類とは、任意の組み合わせが可能である。すなわち、２×２×３＝１２通りの組み合わせが可能となる。
【００５３】
また、第二光学素子を薄型化する必要性が低い場合には、第二光学素子の中央領域及び外側領域の少なくとも一方をフレネルレンズとせず、１段の単純な凸レンズ、凹レンズ、もしくは反射レンズにより構成しても良い。他の変形例として、グレア抑制のみを目的とする場合には、第二光学素子の中央領域をレンズ制御することなく、平板状にしてもよい。
【符号の説明】
【００５４】
１  照明器具、  ２  光源ユニット、  ３  拡散板、  ４  第一光学素子、  ４ａ  プリズム部、  ４ｂ  凹凸面、  ４ｃ  平滑面、  ５  第二光学素子、  ５ａ  中央領域、  ５ｂ  外側領域、  ５ｃ  固定部、  ５ｄ  凹凸面、  ５ｅ  平滑面、  ６  支持部材、  ６ａ  係合部、  ６ｂ  保持部、  ６ｃ  第一反射面、  ６ｄ  第二反射面、  ７  光源ユニット、  ８  第二光学素子、  ８ａ  中央領域、  ８ｂ  外側領域、  ８ｄ  凹凸面、  ８ｅ  平滑面、  ９  光源ユニット、  １０  ベース、  １１  第二光学素子、  １１ａ  中央領域、  １１ｂ  外側領域、  ２０  ＬＥＤモジュール、  ２１  発光素子、  ２２  基板、  １０１  器具本体
【図１】
0006988249.tif 000002
【図２】
0006988249.tif 000003
【図３】
0006988249.tif 000004
【図４】
0006988249.tif 000005
【図５】
0006988249.tif 000006
【図６】
0006988249.tif 000007
【図７】
0006988249.tif 000008